(57)【特許請求の範囲】
【請求項１】
複数の剛性層及び複数の弾性層を交互に積層して当該複数の剛性層と複数の弾性層とを互いに接合してなる積層体を具備しており、少なくとも一つの弾性層には、少なくとも一つの一の貫通孔が設けられており、少なくとも一つの一の貫通孔には、空気又は空気を含んだ圧縮変形自在な多孔体が配されており、弾性層に設けられた少なくとも一つの一の貫通孔は、積層体の中心を通るいずれの水平方向線に対しても交差するように、配されている免震支持装置。
【請求項２】
複数の剛性層及び複数の弾性層を貫通して積層体に配されている少なくとも一つの塑性変形自在な円柱状金属体を更に具備している請求項１に記載の免震支持装置。
【請求項３】
円柱状金属体は、鉛を主成分とした鉛プラグ及び錫を主成分とした錫プラグのうちの少なくとも一方からなっている請求項２に記載の免震支持装置。
【請求項４】
複数の剛性層の夫々は、鋼板からなり、複数の弾性層の夫々は、ゴム板からなる請求項１から３のいずれか一項に記載の免震支持装置。
【請求項５】
複数の剛性層は、最上位及び最下位の鋼板と、これら最上位及び最下位の鋼板より薄肉であって最上位及び最下位の鋼板間において弾性層間に鉛直方向に積層された複数枚の薄肉の鋼板とを具備している請求項１から４のいずれか一項に記載の免震支持装置。
【請求項６】
最上位及び最下位の鋼板の夫々には、これら最上位及び最下位の鋼板の夫々に鉛直方向において隣接する弾性層の少なくとも一つの一の貫通孔に連通する他の一の貫通孔が設けられている請求項５に記載の免震支持装置。
【請求項７】
複数の薄肉の鋼板の夫々には、当該複数の薄肉の鋼板の夫々に鉛直方向において隣接する弾性層の少なくとも一つの一の貫通孔に連通する更に他の一の貫通孔が設けられている請求項５又は６に記載の免震支持装置。
【請求項８】
弾性層に設けられた少なくとも一つの一の貫通孔、最上位及び最下位の鋼板の夫々に設けられた少なくとも一つの他の一の貫通孔並びに複数の薄肉の鋼板の夫々に設けられた少なくとも一つの更に他の一の貫通孔により鉛直方向に伸びた円柱状空所が積層体に形成されている請求項７に記載の免震支持装置。
【請求項９】
弾性層に設けられた少なくとも一つの一の貫通孔は、鉛直方向の各一端で、当該各弾性層に鉛直方向において隣接して当該鉛直方向において弾性層を挟んだ剛性層で閉じられている請求項１から５のいずれか一項に記載の免震支持装置。
【請求項１０】
弾性層に設けられた少なくとも一つの一の貫通孔は、鉛直方向に直交する水平方向における積層体の水平剛性の大きさに関して当該積層体に無方向性を与えるべく、積層体の外縁と内縁との間で、積層体の中心を通るいずれの水平方向線に対しても、これに交差するように、配されている請求項１から９のいずれか一項に記載の免震支持装置。
【請求項１１】
積層体は、円柱状である請求項１から１０のいずれか一項に記載の免震支持装置。
【請求項１２】
弾性層に設けられた少なくとも一つの一の貫通孔は、円柱状の積層体の中心線に関して対称に配されている請求項１１に記載の免震支持装置。
【請求項１３】
弾性層に設けられた少なくとも一つの一の貫通孔は、円柱状の積層体の中心線に関して非対称に配されている請求項１１に記載の免震支持装置。
【発明の詳細な説明】
【技術分野】
【０００１】
本発明は、ビル等の建物、橋若しくは高速道路等の橋桁等々の構造物を支持すると共に、地震等の振動を構造物に伝達させない上に、構造物の振動を早期に減衰させるために、構造物と橋脚若しくは地面との間に配される免震支持装置に関する。
【背景技術】
【０００２】
補強層と弾性層とを交互に積層してなる積層体と、この積層体の補強層及び弾性層を貫通した円柱状中空部に配された鉛プラグとを具備した鉛プラグ入り免震支持装置は知られている。
【先行技術文献】
【特許文献】
【０００３】
【特許文献１】特開２０００−８６４０号公報
【発明の概要】
【発明が解決しようとする課題】
【０００４】
特許文献１には、鉛直剛性を維持しながら水平剛性のみを低下させるべく、非圧縮性流体が封入された空間部を有した複数のゴムシートと複数の鋼板とを交互に積層して一体化した免震用積層ゴムが提案されている。
【０００５】
ところで、特許文献１で提案されている免震用積層ゴムでは、ゴムシートの空間部に非圧縮性流体が封入されているために、免震支持する構造物からの鉛直方向の荷重で空間部の非圧縮性流体が過度に押圧されると、空間部が破裂して非圧縮性流体が流失する虞があり、空間部の破裂に至らない場合にも、過度に加圧された非圧縮性流体がゴムシートと鋼板との間の接着を剥がしてその隙間から非圧縮性流体が流失したり、ゴムシートと鋼板との間の接着剤による接着が解除されて繰り返しての剪断変形を行い得なくなる虞がある。
【０００６】
更に、特許文献１に記載の免震用積層ゴムでは、ゴムシートの空間部に非圧縮性流体が封入されるために、ゴムシートと鋼板との間の接着に対して加圧下における加硫接着を適用し難く、記載の通り、接着剤を用いてゴムシートと鋼板とを一枚づつ接着せざるを得なく、製造工数が莫大となって費用高となる虞れがある。
【０００７】
加えて、特許文献１に記載の免震用積層ゴムでは、単に、ゴムシートに、内周と外周の中間部で円周方向に等間隔に、４箇所に偏平な円柱状の空間部、３箇所に半径方向に延在する細長状の空間部又は４箇所に円周方向に延在する細長状の空間部が夫々形成され、各空間部に非圧縮性流体が封入されているだけであるために、水平面内での全方向に関して水平剛性を低下させているわけではなく、水平面内での特定の方向に関してのみ水平剛性を低下させており、従って、斯かる免震用積層ゴムでは、水平面内での全方向の震動に対して同等の免震効果が得られ難い。
【０００８】
本発明は、前記諸点に鑑みてなされたものであって、その目的とするところは、破裂の虞がない上に、剛性層と弾性層との間の接合の解除の虞もなく、長期に亘って安定に水平剛性（剪断剛性）を低下させることができて、長周期の地震等に対して効果的に構造物を免震支持でき、加えて、製造費用を低減させることができる免震支持装置を提供することにある。
【課題を解決するための手段】
【０００９】
本発明による免震支持装置は、複数の剛性層及び複数の弾性層を交互に積層して当該複数の剛性層と複数の弾性層とを互いに接合してなる積層体を具備しており、弾性層には、少なくとも一つの一の貫通孔が設けられており、少なくとも一つの一の貫通孔には、空気又は空気を含んだ圧縮変形自在な多孔体が配されている。
【００１０】
本免震支持装置によれば、弾性層には、積層体内に少なくとも一つの一の貫通孔が設けられているために、積層体の水平剛性を低下させることができて長周期の地震等に対して効果的に構造物を免震支持できる上に、少なくとも一つの一の貫通孔には、空気又は空気を含んだ圧縮変形自在な多孔体が配されているために、免震支持する構造物からの鉛直方向の荷重で空気又は多孔体が適度に圧縮される結果、少なくとも一つの一の貫通孔の破裂及び弾性層と剛性層との間の接合の解除を回避でき、長期に亘って安定に水平剛性を低下させることができて、しかも、複数の弾性層と複数の剛性層との間の互いの接合に対して加圧下における加硫接着を適用し得る結果、製造費用を低減させることができる。
【００１１】
そして、本免震支持装置によれば、少なくとも一つの一の貫通孔には、空気又は空気を含んだ圧縮変形自在な多孔体が配されているために、円柱状金属体を具備しない態様の場合には、鉛直方向の剛性を低下させることができ、空気又は多孔体の圧縮変形で、構造物の鉛直方向の震動の起因となる交通振動等を低減できる。
【００１２】
本免震支持装置において、空気を含んだ圧縮変形自在な多孔体としては、具体的には、天然スポンジ又はポリウレタン等の合成樹脂を発泡成形して作られる合成スポンジ等のスポンジを一例として挙げることができる。
【００１３】
空所に多孔体が配されている本発明の免震支持装置では、複数の剛性層と複数の弾性層との互いの接合を加圧下の加硫接着で行わせる場合において、斯かる多孔体を少なくとも一つの一の貫通孔に予め配することにより、少なくとも一つの一の貫通孔の形状を維持でき、弾性層を形成する弾性素材が少なくとも一つの一の貫通孔に充填されて、少なくとも一つの一の貫通孔が消失されてしまうような事態を避けることができる。
【００１４】
本発明による免震支持装置では、弾性層には、一つ又は複数、即ち、少なくとも一つの一の貫通孔が設けられているのであるが、例えば、一つだけの貫通孔が弾性層に設けられる場合には、斯かる貫通孔は、好ましくは、積層体の中央において、弾性層に設けられており、また、少なくとも一つの一の貫通孔は、複数の弾性層の全てに設けられていてもよいが、複数の弾性層のうちの少なくとも一つの弾性層に設けられていてもよい。
【００１５】
本発明による免震支持装置は、剛性層及び弾性層を貫通して積層体に配されている少なくとも一つの塑性変形自在な円柱状金属体を更に具備していてもよく、斯かる円柱状金属体を更に具備していると、水平面内での全方向の震動に対して円柱状金属体による減衰効果を期待でき、斯かる震動による積層体の水平方向の剪断変形を可及的速やかに減衰させることができる。
【００１６】
円柱状金属体は、一個でも複数個でも積層体に配されてもよく、本発明の好ましい例では、円柱状金属体は、鉛を主成分とした鉛プラグ及び錫を主成分とした錫プラグのうちの少なくとも一方からなり、鉛プラグの場合には、純度９９．９％以上の鉛を、錫プラグの場合にも、純度９９．９％以上の錫を用いるとよいが、本発明は、これらに限定されず、塑性変形でき、しかも、塑性変形において高い変形エネルギー吸収性を呈する上に、塑性変形後の元の形状への復帰において、常温下で再結晶可能な金属又は合金からなっていてもよい。
【００１７】
好ましい例では、複数の剛性層の夫々は、鋼板からなり、複数の弾性層の夫々は、ゴム板からなるが、剛性層は、鋼板に限定されず、例えば、炭素繊維、ガラス繊維若しくはアラミド繊維等の繊維補強合成樹脂板又は繊維補強硬質ゴム板等からなってもよく、更に剛性層の層数においても特に限定されず、一方、弾性層のゴム板は、天然ゴム及び合成ゴムのうちの少なくとも一つ又は天然ゴム及び合成ゴムのうちの少なくとも一つにカーボンブラックや樹脂系材料を充填した高減衰ゴムからなっていてもよい。
【００１８】
本発明の好ましい他の例では、複数の剛性層は、最上位及び最下位の鋼板と、これら最上位及び最下位の鋼板より薄肉であって最上位及び最下位の鋼板間において弾性層間に鉛直方向に積層された複数枚の薄肉の鋼板とを具備しており、この場合、最上位及び最下位の鋼板の夫々には、当該最上位及び最下位の鋼板の夫々に鉛直方向において隣接する弾性層の少なくとも一つの一の貫通孔に連通する他の一の貫通孔が設けられていてもよく、複数枚の薄肉の鋼板の夫々には、当該複数枚の薄肉の鋼板の夫々に鉛直方向において隣接する弾性層の少なくとも一つの一の貫通孔に連通する更に他の一の貫通孔が設けられてもよく、更には、弾性層に設けられた少なくとも一つの一の貫通孔、最上位及び最下位の鋼板の夫々に設けられた少なくとも一つの他の一の貫通孔並びに複数の薄肉の鋼板の夫々に設けられた少なくとも一つの更に他の一の貫通孔により鉛直方向に伸びた円柱状空所が積層体に形成されていてもよい。
【００１９】
斯かる円柱状空所であると、複数の剛性層の他の一の貫通孔及び更に他の一の貫通孔と複数の弾性層の一の貫通孔とを鉛直方向に配列させて、当該複数の剛性層及び複数の弾性層を交互に積層した後に、鉛直方向に配列された複数の剛性層の他の一の貫通孔及び更に他の一の貫通孔と複数の弾性層の一の貫通孔とに棒状の型棒（中子に相当）を挿入し、斯かる型棒が当該貫通孔に挿入されて積層された複数の剛性層及び複数の弾性層に対して加圧下で加硫接着を施すことにより又は無孔の複数の剛性層及び無孔の複数の弾性層を交互に積層して当該複数の剛性層と複数の弾性層とを互いに加硫接着により接合した後に、複数の弾性層及び複数の剛性層にドリル等により一括して当該貫通孔を形成することにより、容易に当該貫通孔からなる円柱状空所をもった積層体を製造でき、安価な免震支持装置を提供できる。
【００２０】
本発明では、弾性層に設けられた少なくとも一つの一の貫通孔と各剛性層に設けられた少なくとも一つの他の一の貫通孔及び更に他の一の貫通孔とを互いに連通させて積層体に円柱状空所を形成する代わりに、弾性層に設けられた少なくとも一つの一の貫通孔は、鉛直方向の各一端で、当該弾性層に鉛直方向において隣接して当該鉛直方向において弾性層を挟んだ剛性層で閉じられていてもよい。
【００２１】
本発明では、鉛直方向の最上位及び最下位の剛性層は、当該鉛直方向の最上位及び最下位の剛性層を除く鉛直方向の最上位及び最下位の剛性層間の剛性層の鉛直方向の厚みよりも大きな厚みを有し、鉛直方向の最上位及び最下位の剛性層は、その一方の面で開口した一方の円柱状凹所と、その他方の面で開口していると共に一方の円柱状凹所に連通し、しかも、一方の円柱状凹所の径よりも小さな径をもった他方の円柱状凹所とを有し、円柱状金属体が圧入される積層体内の円柱状中空部は、鉛直方向の最上位及び最下位の剛性層を除く鉛直方向の最上位及び最下位間の剛性層及び弾性層の円環状内面で規定された貫通孔と、他方の円柱状凹所とからなっていてもよく、この場合、他方の円柱状凹所は、貫通孔の径と同一の径を有していてもよく、また、鉛直方向の最上位及び最下位の剛性層を除く鉛直方向の最上位及び最下位の剛性層間の剛性層の円環状内面及び弾性層の円環状内面並びに他方の円柱状凹所を規定する最上位及び最下位の剛性層の円環状内面は、円柱状金属体の円筒状表面に接触しているとよい。
【００２２】
本発明の好ましい例では、弾性層に設けられた少なくとも一つの一の貫通孔は、鉛直方向に直交する水平方向における積層体の水平剛性の大きさに関して当該積層体に無方向性を与えるべく、積層体の外縁と内縁との間で、積層体の中心を通るいずれの水平方向線に対しても、それに交差するように、配されている。
【００２３】
斯かる例の免震支持装置によれば、積層体の外縁と内縁との間で、積層体の中心を通るいずれの水平方向線に対しても、それに交差するように、弾性層に設けられた少なくとも一つの一の貫通孔が配されているために、水平面内での全方向に関して略同等に積層体の水平剛性を低下させことができ、水平面内での全方向の震動に対して略同等の免震効果を得ることができる。
【００２４】
本発明において、積層体は、円柱状、楕円柱状、角柱状、特に四角柱状であってもよく、積層体が円柱状である場合には、弾性層に設けられた少なくとも一つの一の貫通孔は、円柱状の積層体の中心線に関して対称又は非対称に配されていてもよいが、好ましくは、対称に配されている。
【００２５】
本発明は、剛性層に対する腐食防止用、特に、防錆用として積層体の外周面を被覆する被覆層を更に有していてもよい。
【発明の効果】
【００２６】
本発明によれば、破裂の虞がない上に、剛性層と弾性層との間の接合の解除の虞もなく、長期に亘って安定に水平剛性（剪断剛性）を低下させることができて、長周期の地震等に対して効果的に構造物を免震支持でき、加えて、製造費用を低減させることができる免震支持装置を提供し得る。
【図面の簡単な説明】
【００２７】
【図１】図１は、本発明の好ましい例における図３に示すＩ−Ｉ線矢視断面説明図である。
【図２】図２は、図１に示す例における図３に示すＩＩ−ＩＩ線矢視断面説明図である。
【図３】図３は、図１に示す例の平面説明図である。
【図４】図４は、図１に示す例の積層体の一部破断斜視説明図である。
【図５】図５は、本発明の好ましい他の例のゴム板の平面説明図である。
【図６】図６は、本発明の好ましい他の例のゴム板の平面説明図である。
【図７】図７は、図５及び図６に示すゴム板を用いた断面説明図である。
【図８】図８は、図５及び図６に示すゴム板を用いた断面説明図である。
【図９】図９は、本発明の好ましい更に他の例のゴム板の平面説明図である。
【発明を実施するための形態】
【００２８】
次に本発明の実施の形態を、図に示す好ましい例に基づいて更に詳細に説明する。なお、本発明はこれら例に何等限定されないのである。
【００２９】
図１から図４において、本例の免震支持装置１は、複数の剛性層としての複数枚の鋼板２及び複数の弾性層としての複数枚のゴム板３を鉛直方向Ｖに交互に積層して互いに加硫接着をもって接合してなる円柱状の積層体としての円柱状の積層ゴム４と、複数の鋼板２及び複数のゴム板３の夫々の中央部を鉛直方向Ｖに貫通して積層ゴム４に配されている塑性変形自在な円柱状金属体としての鉛を主成分とした円柱状の鉛プラグ５と、積層ゴム４の外縁としての円筒状の外周面６を被覆すると共にゴム板３と同一のゴム材からなって鋼板２及びゴム板３の外周面に加硫接着されて当該鋼板２及びゴム板３に一体形成された円筒状の被覆層７と、複数の鋼板２のうちの鉛直方向Ｖにおいて最上位の鋼板８にボルト等により固着されていると共にビル等の建物、橋若しくは高速道路等の橋桁等の上部構造物９の下面１０に同じくボルト等により固着される円盤状の鋼板からなる上取付板１１と、複数の鋼板２のうちの鉛直方向Ｖにおいて最下位の鋼板１２にボルト等により固着されていると共に地盤上の基礎等の下部構造物１３の上面１４に同じくボルト等により固着される円盤状の鋼板からなる下取付板１５と、最上位の鋼板８及び上取付板１１間に配された上剪断キー１６と、最下位の鋼板１２及び下取付板１５間に配された下剪断キー１７とを具備している。
【００３０】
複数枚の鋼板２は、鉛直方向Ｖにおいて最上位及び最下位の一対の鋼板８及び１２と、一対の鋼板８及び１２より薄肉であって一対の鋼板８及び１２間においてゴム板３間に鉛直方向Ｖに積層された複数枚の薄肉の鋼板２１とを具備しており、鋼板８、１２及び２１の中央部には、鉛プラグ５が貫通される貫通円孔２２が形成されている。
【００３１】
鉛プラグ５が貫通される貫通円孔３０が夫々の中央部に形成されている各ゴム板３には、空気が配されている複数の円柱状の貫通孔３１及び３２が設けられており、各ゴム板３において一のゴム板３の貫通孔３１と他の一のゴム板３の貫通孔３１とは、同一の径と同一の個数をもって当該ゴム板３の内周側で同一の位置に設けられており、斯かる複数の円柱状の貫通孔３１は、各ゴム板３において積層ゴム４の鉛直方向Ｖに伸びる軸心線（中心線）Ｃの周りである円周方向Ｒに等間隔（等角度間隔）に配列されており、各ゴム板３において一のゴム板３の貫通孔３２と他の一のゴム板３の貫通孔３２とは、同一の径と同一の個数をもって当該ゴム板３の外周側で同一の位置に設けられており、斯かる複数の円柱状の貫通孔３２も、各ゴム板３において積層ゴム４の鉛直方向Ｖに伸びる軸心線（中心線）Ｃの周りである円周方向Ｒに等間隔（等角度間隔）に配列されている。
【００３２】
複数の貫通孔３２の夫々は、円周方向Ｒにおいて複数の貫通孔３１の夫々の間に配されており、これにより、積層ゴム４の中心線Ｃに関して対称となるように設けられている複数の貫通孔３１及び３２は、鉛直方向Ｖに直交する水平方向Ｈにおける積層ゴム４の水平剛性の大きさに関して無方向性をもつべく、外周面６と積層ゴム４の内縁としての円筒状の内周面３３との間で、積層ゴム４の軸心線Ｃ上の中心Ｏを通るいずれの水平方向線に対しても、それに交差する少なくとも一つの貫通孔３１及び３２が位置するように、積層ゴム４に配されている。即ち、複数の貫通孔３１及び３２は、例えば、積層ゴム４の外周面６と内周面３３との間で、積層ゴム４の中心Ｏを通る一つの水平方向線Ｈ１では、貫通孔３１が、積層ゴム４の中心Ｏを通る他の一つの水平方向Ｈ２では、貫通孔３２が、そして、積層ゴム４の中心Ｏを通る更に他の一つの水平方向Ｈ３では、貫通孔３１及び３２が位置するように、積層ゴム４に配されている。
【００３３】
鋼板８及び１２並びに鋼板２１の夫々にも、当該鋼板８及び１２並びに鋼板２１の夫々に鉛直方向Ｖにおいて隣接するゴム板３の複数の貫通孔３１及び３２の夫々に連通する貫通孔４１及び４２が設けられており、貫通孔４１は、貫通孔３１と同様に、同一の径と同一の個数をもって当該鋼板８及び１２並びに鋼板２１の夫々の内周側で同一の位置に設けられており、斯かる複数の貫通孔４１は、鋼板８及び１２並びに鋼板２１の夫々において積層ゴム４の鉛直方向Ｖに伸びる軸心線Ｃの周りである円周方向Ｒに等間隔（等角度間隔）に配列されており、貫通孔４２は、貫通孔３２と同様に、同一の径と同一の個数をもって当該鋼板８及び１２並びに鋼板２１の夫々の外周側で同一の位置に設けられており、斯かる複数の円柱状の貫通孔４２も、鋼板８及び１２並びに鋼板２１の夫々において積層ゴム４の鉛直方向Ｖに伸びる軸心線Ｃの周りである円周方向Ｒに等間隔（等角度間隔）に配列されている。
【００３４】
而して、積層ゴム４には、各ゴム板３に設けられた複数の貫通孔３１及び３２並びに鋼板８、１２及び鋼板２１の夫々に設けられた複数の貫通孔４１及び４２により鉛直方向に伸びた円柱状空所４５及び４６が、即ち、貫通孔３１及び４１により円柱状空所４５が、そして、貫通孔３２及び４２により円柱状空所４６が夫々形成されている。
【００３５】
鉛プラグ５は、複数の鋼板２及び複数のゴム板３の夫々の中央部を規定する積層ゴム４の内周面３３に隙間なしにぴたりと接触して、当該中央部に嵌装されている。
【００３６】
以上の免震支持装置１では、上部構造物９の鉛直方向Ｖの荷重を積層ゴム４で支持する一方、地震等による上部構造物９に対する下部構造物１３の水平方向Ｈへの振動をゴム板３の水平方向Ｈの剪断変形により許容して下部構造物１３の水平方向Ｈへの振動の上部構造物９への伝達を抑制して上部構造物９の免震を達成し、下部構造物１３の水平方向Ｈへの振動に基づいて生じる上部構造物９の水平方向Ｈへの振動のエネルギーを、積層ゴム４の水平方向Ｈの剪断変形に伴って生じる鉛プラグ５の水平方向Ｈの剪断変形により吸収して、上部構造物９の水平方向Ｈへの振動を早期に減衰させるようになっている。
【００３７】
そして、免震支持装置１では、各ゴム板３には、複数の貫通孔３１及び３２が設けられているために、積層ゴム４の水平剛性を低下させることができて長周期の地震等に対して効果的に上部構造物９を免震支持できる上に、貫通孔３１及び３２の夫々には、空気が配されているために、免震支持する上部構造物９からの鉛直方向Ｖの荷重で貫通孔３１及び３２の空気が適度に圧縮される結果、貫通孔３１及び３２の破裂及びゴム板３と鋼板２との間の接合の解除、換言すれば、鋼板２からのゴム板３の剥離を回避でき、長期に亘って安定に水平剛性を低下させることができて、しかも、複数のゴム板３と複数の鋼板２との間の互いの接合に対して加圧下における加硫接着を適用し得る上に、貫通孔３１及び４１と貫通孔３２及び４２との夫々をドリル等により一括して形成することができる結果、製造費用を低減させることができ、更に、積層ゴム４の外周面６と内周面３３との間で、積層ゴム４の中心Ｏを通るいずれの水平方向線Ｈ１、Ｈ２、Ｈ３・・・に対しても、それに交差する貫通孔３１及び３２が位置するように、複数の貫通孔３１及び３２が積層ゴム４に配されているために、水平面内での全方向に関して略同等に積層ゴム４の水平剛性を低下させることができ、水平面内での全方向の震動に対して略同等の免震効果が得られ、その上、鉛プラグ５が積層ゴム４内に配されているため、水平面内での全方向の震動に対して鉛プラグ５による減衰効果を期待でき、斯かる震動による積層ゴム４の水平方向Ｈの剪断変形を可及的速やかに減衰させることができる。
【００３８】
ところで、上記の免震支持装置１では、各ゴム板３には、複数の貫通孔３１及び３２が設けられており、鋼板８及び１２並びに２１の夫々にも、貫通孔４１及び４２が設けられているが、図５から図８に示すように、複数枚のゴム板３のうち半数のゴム板３には、貫通孔３１を、残る半数のゴム板３には、貫通孔３２を夫々設け、積層ゴム４の中心Ｏを通る一つの水平方向線Ｈ１では、貫通孔３１が、積層ゴム４の中心Ｏを通る他の一つの水平方向Ｈ２では、貫通孔３２が、そして、積層ゴム４の中心Ｏを通る更に他の一つの水平方向Ｈ３では、貫通孔３１及び３２が位置するように、貫通孔３１を設けたゴム板３に対して貫通孔３２を設けたゴム板３を円周方向Ｒに関して配して、これら複数枚のゴム板３と、貫通孔４１及び４２を設けない鋼板８及び１２並びに２１からなる複数の鋼板２とを鉛直方向Ｖに交互に積層して積層ゴム４を形成してもよく、この場合、各ゴム板３に設けられた複数の貫通孔３１及び３２は、鉛直方向Ｖの各一端で、鋼板２で閉じられるようになる。
【００３９】
図５から図８に示す免震支持装置１でも、積層ゴム４の水平剛性を低下させることができて長周期の地震等に対して効果的に上部構造物９を免震支持できる上に、貫通孔３１及び３２の夫々には、空気が配されているために、免震支持する上部構造物９からの鉛直方向Ｖの荷重で貫通孔３１及び３２の空気が適度に圧縮される結果、貫通孔３１及び３２の破裂及びゴム板３と鋼板２との間の接合の解除、換言すれば、鋼板２からのゴム板３の剥離を回避でき、長期に亘って安定に水平剛性を低下させることができて、しかも、複数のゴム板３と複数の鋼板２との間の互いの接合に対して加圧下における加硫接着を適用し得る上に、積層ゴム４の外周面６と内周面３３との間で、積層ゴム４の中心Ｏを通るいずれの水平方向線Ｈ１、Ｈ２、Ｈ３・・・に対しても、それに交差する貫通孔３１及び３２が位置するように、複数の貫通孔３１及び３２が積層ゴム４に配される結果、水平面内での全方向に関して略同等に積層ゴム４の水平剛性を低下させることができ、水平面内での全方向の震動に対して略同等の免震効果、言い換えると、無方向性の免震効果が得られ、しかも、鉛プラグ５が積層ゴム４内に配されているため、水平面内での全方向の震動に対して鉛プラグ５による減衰効果を期待でき、斯かる震動による積層ゴム４の水平方向Ｈの剪断変形を可及的速やかに減衰させることができる。
【００４０】
更に、上記の免震支持装置１では、内周側の貫通孔３１と外周側の貫通孔３２とをゴム板３に設けたが、図９に示すように、複数枚のゴム板３の夫々に、円周方向Ｒに等間隔に配列された複数個の貫通孔５１を設け、一のゴム板３の複数個の貫通孔５１と他の一のゴム板３の複数個の貫通孔５１とが円周方向Ｒに部分的に重なるように、一のゴム板３と他の一のゴム板３とを鋼板２と共に鉛直方向Ｖに積層して積層ゴム４を形成してもよく、図９に示す複数枚のゴム板３で形成された積層ゴム４を具備する免震支持装置１でも、貫通孔５１の夫々には、空気が配されているために、免震支持する上部構造物９からの鉛直方向Ｖの荷重で貫通孔５の空気が適度に圧縮される結果、貫通孔５１の破裂及びゴム板３と鋼板２との間の接合の解除、換言すれば、鋼板２からのゴム板３の剥離を回避でき、長期に亘って安定に水平剛性を低下させることができて、しかも、複数のゴム板３と複数の鋼板２との間の互いの接合に対して加圧下における加硫接着を適用し得る上に、水平面内での全方向に関して略同等に積層ゴム４の水平剛性を低下させことができ、水平面内での全方向の震動に対して略同等の免震効果、言い換えると、無方向性の免震効果が得られる。
【００４１】
上記の例では、貫通孔３１、３２及び５１を積層ゴム４の中心線Ｃに関して対称となるようにゴム板３に設けたが、これに代えて、貫通孔３１、３２及び５１を積層ゴム４の中心線Ｃに関して非対称となるようにゴム板３に設けてもよい。
【符号の説明】
【００４２】
１  免震支持装置
２、８、１２  鋼板
３  ゴム板
４  積層ゴム
５  鉛プラグ
６  外周面
７  被覆層
９  上部構造物
１０  下面
１１  上取付板
１３  下部構造物
１４  上面
１５  下取付板
１６  上剪断キー
１７  下剪断キー
【図１】
0006432271.tif 000002
【図２】
0006432271.tif 000003
【図３】
0006432271.tif 000004
【図４】
0006432271.tif 000005
【図５】
0006432271.tif 000006
【図６】
0006432271.tif 000007
【図７】
0006432271.tif 000008
【図８】
0006432271.tif 000009
【図９】
0006432271.tif 000010